(57)【要約】【課題】  記録メディアに不具合が生じたときや記録メディアの記録容量が満杯になり記録メディアの交換が必要な場合であっても、撮影した映像記録のバックアップを常時行うことができるデオカメラ装置を提供することを目的とするものである。【解決手段】  被写体の光学像を光電変換し、映像データを生成する撮影素子１１と、撮影素子１１からの映像データを信号処理する信号処理回路１４と、信号処理回路１４からの映像データを順次転送制御して記録メディア１７ａに記録するメディア制御部１６ａとを有するビデオカメラ装置であって、ビデオカメラ装置が信号処理回路１４からの映像データをメモリー制御部１６ｂにより順次転送制御して記録する半導体メモリー１７ｂを備え、半導体メモリー１７ｂには、撮影素子１１からの映像データを記録メディア１７ａに転送制御して記録する際、これと同じ映像データを半導体メモリー１７ｂに常時記録するビデオカメラ装置である。【選択図】      図１
2006086809.tif 000002
【特許請求の範囲】
【請求項１】
被写体の光学像を光電変換し、映像データを生成する撮影手段と、該撮影手段からの映像データを信号処理する信号処理手段と、該信号処理手段からの映像データを順次転送制御して記録媒体に記録する記録制御手段とを有するビデオカメラ装置であって、
前記ビデオカメラ装置が前記信号処理手段からの映像データをメモリー制御手段により順次転送制御して記録する半導体メモリーを備え、該半導体メモリーには、前記撮影手段からの映像データを前記記録媒体に転送制御して記録する際、これと同じ映像データを前記半導体メモリーに常時記録することを特徴とすることを特徴とするビデオカメラ装置。
【請求項２】
前記信号処理手段からの出力される映像データを圧縮処理するデータ圧縮手段と、該データ圧縮手段の圧縮率を設定する圧縮率設定手段とを少なくとも前記半導体メモリーの前段に設け、前記データ圧縮手段から出力される圧縮データを前記半導体メモリーに記録することを特徴とする請求項１に記載のビデオカメラ装置。
【請求項３】
前記半導体メモリーがスロットタイプで取り外し可能なメモリーカードであることを特徴とする請求項１又は２に記載のビデオカメラ装置。
【発明の詳細な説明】
【技術分野】
【０００１】
本発明は、ビデオカメラ装置に係り、特に撮影した映像のバックアップ機能を備え、信頼性の高い再生機能を備えるビデオカメラ装置に関するものである。
【背景技術】
【０００２】
従来、ビデオカメラ装置には撮影した映像を記録する記録メディアとしてビデオテープレコーダ（ＶＴＲ）が用いられていたが、近年ではハードディスクや光ディスク等が用いられるようになっており、ビデオカメラ装置にはこの種の記録メディアが一つの筐体内に収められている。通常、撮影した映像はこの筐体内の記録メディアに記録され、記録メディアであるＶＴＲ等を交換することにより、長時間映像を記録することができる。
【０００３】
撮影中にビデオテープを交換する場合は、通常撮影を中断しなければならないので、撮影した映像を常に記録しておくことができない。このような状況にもかかわらず、撮影現場では急に撮影開始しなければならない場合があり、ビデオテープの準備や対応が間に合わず、大事なシーンを取り逃がすおそれがあった。近年、撮影した映像を短時間ながらエンドレスに記録できるリングバッファ（半導体メモリー）を設けたビデオカメラ装置が提案されており、このビデオカメラ装置では、記録開始と共に古い映像データを逐次上書きしながら記録し、主となる保存用の記録メディアに映像が記録された時点でリングバッファヘの記録を停止し、このリングバッファの映像データを保存用の記録メディアに転送するものが提案されている（例えば、特許文献１を参照）。
【０００４】
【特許文献１】特開平７−９９６２８号公報（明細書段落〔００１３〕〜〔００１９〕，図面図１）
【発明の開示】
【発明が解決しようとする課題】
【０００５】
近年のビデオカメラ装置には、ハードディスクや光ディスクなどの様々な記録メディアが使用されており、その記録機構は極めて精密なものである。このような精密な記録機構では、野外撮影の移動時の僅かな衝撃などが加わった際に、この記録メディアの記録機構が不調になることがあり、時には記録メディアを取り出して再セットするなどして復旧させて撮影を開始したり、或いは記録メディアそのものが不良等であったりし、撮影した映像が望むような記録ができないことがあった。
【０００６】
また、上記説明した通り、撮影が長時間にわたり、映像のデータ量が記録メディアの記憶容量を超える場合には、記録メディアの交換を余儀なくされる。当然、この記録メディアの交換時は、映像を記録メディアに記録できない。このような要因により、撮影時の撮り逃がしが発生したのでは、撮影された映像が致命傷になる場合があり、ビデオカメラ装置の機能として改善の余地があった。
【０００７】
特に、緊急取材やブライダル等の記録に使用される業務用のビデオカメラ装置では、この撮り逃がしが切実な問題となり、記録メディアの不調や記録メディアの交換といった操作を行っている最中であっても映像が途絶えることなく、記録することができる高い信頼性を有するビデオカメラ装置が望まれていた。
【０００８】
本発明は、上記課題に鑑みなされたものであり、記録メディアに不具合が生じたときや記録メディアの記録容量が満杯になり記録メディアの交換が必要な場合であっても、撮影した映像記録のバックアップを常時行うことができるビデオカメラ装置を提供することを目的とするものである。
【課題を解決するための手段】
【０００９】
本発明は、上述した課題を解決するためなされたものであり、請求項１の発明は、被写体の光学像を光電変換し、映像データを生成する撮影手段と、該撮影手段からの映像データを信号処理する信号処理手段と、該信号処理手段からの映像データを順次転送制御して記録媒体に記録する記録制御手段とを有するビデオカメラ装置であって、
前記ビデオカメラ装置が前記信号処理手段からの映像データをメモリー制御手段により順次転送制御して記録する半導体メモリーを備え、該半導体メモリーには、前記撮影手段からの映像データを前記記録媒体に転送制御して記録する際、これと同じ映像データを前記半導体メモリーに常時記録することを特徴とすることを特徴とするビデオカメラ装置である。
【００１０】
また、請求項２の発明は、前記信号処理手段からの出力される映像データを圧縮処理するデータ圧縮手段と、該データ圧縮手段の圧縮率を設定する圧縮率設定手段とを少なくとも前記半導体メモリーの前段に設け、前記データ圧縮手段から出力される圧縮データを前記半導体メモリーに記録することを特徴とする請求項１に記載のビデオカメラ装置である。
【００１１】
また、請求項３の発明は、前記半導体メモリーがスロットタイプで取り外し可能なメモリーカードであることを特徴とする請求項１又は２に記載のビデオカメラ装置である。
【発明の効果】
【００１２】
本発明は、以下のようの効果を有する。
請求項１の発明では、被写体の光学像を光電変換し、映像データを生成する撮影手段と、該撮影手段からの映像データを信号処理する信号処理手段と、該信号処理手段からの映像データを順次転送制御して記録媒体に記録する記録制御手段とを有するビデオカメラ装置であって、前記ビデオカメラ装置が前記信号処理手段からの映像データをメモリー制御手段により順次転送制御して記録する半導体メモリーを備え、該半導体メモリーには、前記撮影手段からの映像データを前記記録手段に転送制御して記録する際、これと同じ映像データを前記半導体メモリーに常時記録することを特徴とすることを特徴とするビデオカメラ装置であるので、記録媒体（記録メディア）に記録している同じ映像データを半導体メモリーにも常時記録することができるので、記録メディアの不調や交換時等における映像記録の切れ目をなくし、ビデオカメラ装置による映像記録における信頼性を向上させることができる。
【００１３】
また、請求項２の発明では、前記信号処理手段からの出力される映像データを圧縮処理するデータ圧縮手段と、該データ圧縮手段の圧縮率を設定する圧縮率設定手段とを少なくとも前記半導体メモリーの前段に設け、前記データ圧縮手段から出力される圧縮データを前記半導体メモリーに記録することを特徴とする請求項１に記載のビデオカメラ装置であるので、記録メディアの記録容量に合わせて半導体メモリーの記録時間を調整することができ、撮影した映像記録のバックアップ機能をより向上させることができる。
【００１４】
また、請求項３の発明では、前記半導体メモリーがスロットタイプで取り外し可能なメモリーカードであることを特徴とする請求項１又は２に記載のビデオカメラ装置であるので、半導体メモリーに記録した映像記録のバックアップデータを編集機などへ簡単に移動させることができ、半導体メモリーに記録された映像を基準として、記録メディアに記録した映像に切れ目が見つかった場合であっても、効率よく編集作業を進めることができる利点がある。
【発明を実施するための最良の形態】
【００１５】
以下、本発明に係るビデオカメラ装置の一実施形態を、図面を参照して説明する。図１は、本実施形態のブロック図である。
【００１６】
本実施形態は、図１に示したように、被写体の光学像を光電変換し、映像データを生成する撮像素子１１、撮影場所の音を収音するマイク１２、撮像素子１１とマイク１２から出力をデジタル信号に変換するＡ／Ｄ変換器１３、Ａ／Ｄ変換器１３からのデジタル化した映像信号の信号処理する信号処理回路１４を備え、信号処理回路１４の出力信号を圧縮する圧縮回路１５ａ、圧縮回路１５ａからの映像信号を転送制御するメディア制御部１６ａ、メディア制御部１６ａによる転送される映像信号を記録する記録メディア１７ａを備えており、さらに、信号処理回路１４の出力信号は、所定の圧縮率で圧縮する圧縮回路１５ｂ、圧縮率を設定する圧縮率設定部１５ｃ、圧縮回路１５ｂからの映像信号を転送制御するメモリー制御部１６ｂ、メモリー制御部１６ｂにより転送制御される映像データを記録する半導体メモリー１７ｂを備えている。
【００１７】
撮像素子１１はＣＣＤ（Charge Coupled Device）等の撮像素子であり、撮影した映像を電気信号に変換して出力する。マイク１２は撮影時における周囲の音声を収音し音声信号を出力する。Ａ／Ｄ変換器１３は撮像素子１１とマイク１２から得られたアナログ信号をデジタル信号に変換する。信号処理回路１４は、Ａ／Ｄ変換器１３より得られたデジタル信号に所定の処理を行い、必要に応じて輝度信号、色差信号、復号映像信号等に係るデータを生成する。圧縮回路１５ａは映像データをＪＦＩＦ（JPEG File Interchange Format）、ＤＶ（Digital Video）、ＭＰＥＧ２（Motion Picture Experts Group ２）等の規格に基づいて、パソコンや編集機で再生可能な形式にデータ圧縮する。メディア制御部１６ａは、圧縮回路１５ａから出力される圧縮データを、転送制御して順次記録メディア１７ａに記録する。記録メディア１７ａは主にビデオテープ、ハードディスク、光ディスク等を使用し、撮影した映像をメディア制御部１６ａの転送制御により記録する。
【００１８】
圧縮回路１５ｂは、圧縮回路１５ａと同様にパソコンや編集機で再生可能な形式で映像データをデータ圧縮する。圧縮率設定部１５ｃは圧縮回路１５ｂに接続され、圧縮回路１５ｂによる映像データの圧縮処理における圧縮率を設定しており、ここでは状況に応じて画質優先又は記録時間優先の圧縮率を設定する。例えば、圧縮回路１５ａ，１５ｂにそれぞれ入力される映像データは同一のものであるが、圧縮回路１５ｂの圧縮率を圧縮回路１５ａの圧縮率を高くして圧縮し、半導体メモリー１７ｂに大量の映像データを記録するようにする。メモリー制御部１６ｂは、圧縮回路１５ｂから出力される圧縮データを、半導体メモリー１７ｂへ転送制御して記録する。半導体メモリー１７ｂは圧縮された映像データを記録し、必要に応じてビデオカメラ装置に内蔵するタイプとスロットタイプで取り出し可能なメモリーカードタイプを使用する。
【００１９】
本実施形態では、信号処理回路１４からの映像データが、圧縮回路１５ａから記録メディア１７ａに記録する処理系統Ａと、圧縮回路１５ｂから半導体メモリー１７ｂに記録する処理系統Ｂとにより圧縮処理されて記録されており、圧縮回路１５ａと圧縮回路１５ｂとが並列に接続され、ビデオカメラ装置で撮影した同じ映像データが入力され、それぞれ同一の圧縮率で映像データを圧縮してもよいが、圧縮回路１５ｂの圧縮率を高めるようにして多くの映像データが、バックアップ用の半導体メモリー１７ｂに記録されるように構成されている。
【００２０】
次に、本実施形態のビデオカメラ装置における記録した映像データの再生について、図２を参照して説明する。上記ビデオカメラ装置本体２０には、図２に示す記録メディア２１ａ、半導体メモリー２１ｂ、記録メディア２１ａを制御するメディア制御部２２ａ、半導体メモリー２１ｂを制御するメモリー制御部２２ｂ、メディア制御部２２ａとメモリー制御部２２ｂとからの映像データを切り換える切換え器２３、切換え器２３から圧縮された映像データを伸長する伸長回路２４とが備えられている。伸長回路２４は、記録メディア２１ａ及び半導体メモリー２１ｂに記録された圧縮映像データを復号映像信号等に変換可能な映像データに伸長する。
【００２１】
なお、記録メディア２１ａ及びメディア制御部２２ａは、図１の半導体メディア１７ａとメディア制御部１６ａにそれぞれ対応している。また、半導体メモリー２１ｂ及びメモリー制御部２２ｂは、図１の半導体メモリー１７ｂ及びメモリー制御部１６ｂに対応する。すなわち、メディア制御部２２ａ（１６ａ）及びメモリー制御部２２ｂ（１６ｂ）は、映像データの記録と再生の両方の制御機能を有するものである。
【００２２】
以上の構成は、ビデオカメラ装置本体２０に収められ、伸長回路２４からの出力は、編集機２５に入力される。編集機２５は編集用の専用機はもちろん、編集機能を備えたパソコンであってもよい。編集機２５に入力された映像は、モニター２６に表示される。モニター２６の映像を見ながら編集作業を行う。編集作業後の映像データは、ＶＴＲやハードディスク等からなる外部記録装置２７に記録される。
【００２３】
続いて、以上のように構成された本実施形態のビデオカメラ装置について、その動作を撮影した映像を記録する場合とこれを再生する場合に分けて、図１及び図２を参照し、詳細に説明する。
【００２４】
先ず、ビデオカメラ装置で撮影した映像を記録する場合の動作について、図１を用いて説明する。撮像素子１１で撮影した光学像の光電変換が行われて、アナログの映像信号が生成され、この映像信号に雑音を軽減するＣＤＳ回路（correlated double sampling circuit）による雑音低減処理やＡＧＣ回路（automatic gain control circuit）による信号レベルを一定にする等の所定の前処理が施され（図示を省略）、Ａ／Ｄ変換器１３でデジタル信号に変換される。その後、このデジタル信号は信号処理回路１４に入力されて所定の処理を行い、必要に応じて輝度信号・色差信号・復号映像信号等の所定の映像データを生成する。
【００２５】
ここで生成された映像データは、記録メディア１７ａと半導体メモリー１７ｂとの二つの映像記録処理系統Ａ，Ｂへパラレルに送られる。記録メディア１７ａ側の処理系統Ａに送られた映像データは圧縮回路１５ａに入力され、ＪＦＩＦ，ＤＶ，ＭＰＥＧ２方式等のパソコンや編集機で生成可能なデータ形式に圧縮される。圧縮された映像データはメディア制御部１６ａによって順次記録メディア１７ａへ送られ、メディア制御部１６ａで管理された所定の記録領域へ記録される。
【００２６】
一方、半導体メモリー１７ｂ側の処理系統Ｂへ送られた映像データは圧縮回路１５ｂに入力され、記録メディア側の処理系統Ａと同様にパソコンや編集機で再生可能な形式でデータ圧縮される。処理系統Ｂでの圧縮条件は、後段での編集作業において、二つの記録処理系統Ａ，Ｂにおける画質に差が出ると編集後の映像に違和感を生じるので、圧縮回路１５ａと圧縮回路１５ｂとの圧縮条件を同一に設定するのが良い。しかし、同一条件と設定すると、半導体メモリー１７ｂの記録容量が記録メディア１７ａの記憶容量よりも下回る場合もある。その場合、半導体メモリー１７ｂの本実施形態の目的、すなわち映像記録バックアップすることを優先させるため、半導体メモリー１７ｂの圧縮率を圧縮率設定部１５ｃで高く設定し、記録メディア１７ａが記録した映像全てをバックアップするようにする。従って、ビデオカメラ装置本体２０には、圧縮率を設定する入力手段を備え、入力手段により設定した圧縮率によって、圧縮率設定部１５ｃが圧縮回路１５ｂの圧縮率を設定して映像データを圧縮する。その後、圧縮データはメモリー制御部１６ｂによって管理され、半導体メモリー１７ｂの所定のアドレスに転送制御されて記録される。このように通常の撮影では、半導体メモリー１７ｂに記録メディア１７ａで記録されたものと同じ映像が常時記録され、撮影した映像を記録してバックアップすることができ、ビデオカメラ装置における映像記録全般の信頼性が向上する。
【００２７】
編集作業時、再生された映像が正常に記録されていない部分、すなわち、撮影時にビデオカメラ装置本体２０に振動が加わったり、記録メディア２１ａの不調等により発生する映像の切れ目が、編集作業時に確認された場合、切り換え器２３を操作し、記録メディア２１ａからの映像を半導体メモリー２１ｂ側に切り換える。メモリー制御部２２ｂは半導体メモリー２１ｂから映像データを読み出し、映像データは切り換え器２３を経由し、伸長回路２４へ順次送られる。半導体メモリー２１ｂからの映像データは伸長回路２４にて伸長処理され、編集機２５に入力される。半導体メモリー２１ｂからの映像は、記録メディア２１ａでは正常に再生できなかった部分の映像として利用し、モニター２６で確認しながら編集機２５でつなぎ合わせれて、切れ目のない映像を編集する。
【００２８】
この他にも記録メディア１７ａを交換している間だけの映像を半導体メモリー１７ｂにピンポイントで記録して、これを編集時にこの映像を活用する方法もある。具体的には、記録メディア１７ａの交換時に、自動的に半導体メモリー１７ｂに記録され、記録メディア１７ａを装着した後は、記録メディア１７ａで引き続き記録するように制御することができる。これらの制御は、メディア制御部１６ｂがメモリー制御部１６ａを制御することにより構成することができる。このような映像を、編集時に記録メディア２１ａと半導体メモリー２１ｂの両方の映像データを活用し、編集機２５でつなぎ合わせて切れ目のない映像とすることができる。すなわち、放送用や業務用のビデオカメラ装置では、映像データを記録する際、映像データとともにタイムコードが多重されて記録されているので、このタイムコードを利用して記録映像を正確に切れ目なく、編集することが容易にできる。これにより、撮影の途中に記録メディア１７ａを交換した場合であっても、切れ目のない映像を編集することができる。
【００２９】
次に、編集機２５を再生機として利用する第２の再生方法について説明する。これは、記録メディア２１ａや半導体メモリー２１ｂに記録された映像データを伸長回路２４を介さずに編集機２５で再生する方法である。まず、記録メディア２１ａをビデオカメラ装置本体２０から取り外して編集機２５に装着し再生すれば、記録した映像データを編集機２５に移動することができる。一方、半導体メモリー２１ｂに記録されたデータの移動方法であるが、この方法の場合、半導体メモリー２１ｂがビデオカメラ装置本体２０に内蔵されている場合と、スロットタイプで取り外し可能なメモリーカードである場合とで映像データの移動の仕方が異なる。メモリーカードの場合、カードをビデオカメラ装置本体２０から取り外して編集機２５に装着して再生すれば、記録した映像データを移動することができる。一方、半導体メモリー２１ｂがビデオカメラ装置本体２０に内蔵されている場合には、内蔵の半導体メモリー２１ｂから一度メモリーカード等に内容を移動するか、若しくはビデオカメラ装置本体２０にＵＳＢ（Universal Serial Bus）ポートなどを装着して、これを介して内蔵の半導体メモリー２１ｂの映像データを編集機２５にて再生する。
【００３０】
このように、半導体メモリー２１ｂは記録メディア２１ａ（ビデオテープ、ハードディスク、光ディスク等）に比べて振動や衝撃が加わった場合でも撮影した映像を正常に記録し続けることができる信頼性が高いので、これに記録された映像をバックアップ映像として活用することができる。特に、業務用ビデオカメラ装置では、例えば緊急取材やブライダル等に使用した際にトラブルが発生することが多く、このような現場において取り損ねることは切実な問題であり、本実施形態では、主の記録手段である記録メディア２１ａに加え、バックアップする半導体メモリー２１ｂを用い、半導体メモリー２１ｂに映像データを圧縮する際の圧縮率を選択して記録するようにし、長時間のバックアップを可能とし、ビデオカメラ装置における映像記録全般の信頼性を向上させることができる。
【産業上の利用可能性】
【００３１】
本発明の活用例としては、ビデオカメラ装置における映像記録全般の信頼性を向上させたい場合に効果的であり、特に放送用及び業務用ビデオカメラ装置に利用できる。
【図面の簡単な説明】
【００３２】
【図１】本発明のビデオカメラ装置の一実施形態を示すブロック図である。
【図２】本実施形態における映像の再生と編集について説明するためのブロック図である。
【符号の説明】
【００３３】
１１  撮像素子（撮像手段）
１２  マイク
１３ Ａ／Ｄ変換器
１４  信号処理回路（信号処理手段）
１５ａ  圧縮処理回路
１６ａ  メディア制御部（記録制御手段）
１７ａ  記録メディア（記録媒体）
１５ｂ  圧縮回路（データ圧縮手段）
１５ｃ  圧縮率設定部（圧縮設定手段）
１６ｂ  メモリー制御部
１７ｂ  半導体メモリー
２０  ビデオカメラ装置本体
２１ａ  記録メディア
２２ａ  メディア制御部
２１ｂ  半導体メモリー
２２ｂ  メモリー制御部
２３  切り換え部
２４  伸長回路
２５  編集機
２６  モニター
２７  外部記録装置
Ａ，Ｂ  処理系統
【図１】
2006086809.tif 000003
【図２】
2006086809.tif 000004